(57)【特許請求の範囲】
【請求項１】
頭形補正又は空間形成のための補助装置を備えたヘアウェアであって、
前記ヘアウェアは、使用者の頭部に対応する球形態で形成され、該ヘアウェアには、その端部内側の一部又は全体にわたって高さ方向に所定の幅を有するヘアウェア粘着部が形成され、
前記補助装置は、
使用者の頭部に隣接して前記ヘアウェア内部の一部又は全体を覆える球形態に形状維持が可能な強度で形成され、前記ヘアウェア粘着部と結合するため下端部の側面に高さ方向に所定の幅を有する第１補助粘着部を設けた第１補助装置と、
前記ヘアウェアの内側に隣接して前記ヘアウェア内部の一部又は全体を覆える球形態に形状維持が可能な強度で形成され、前記ヘアウェア粘着部又は第１補助粘着部に結合するため下端部の側面に高さ方向に所定の幅を有する第２補助粘着部を設けた第２補助装置とにより構成され、
前記第１補助装置と第２補助装置の幅は、前記ヘアウェアを着用した状態で該第１補助装置と第２補助装置が外部に露出しないように、ヘアウェアの幅と同一、又は該幅よりも狭く形成されており、
前記ヘアウェアの内側に前記補助装置が挿入結合した状態で、前記第１補助粘着部、第２補助粘着部及び／又はヘアウェア粘着部が選択的に相互結合することで、ヘアウェアの内側における、前記第１補助装置と第２補助装置との間に形成される第１空間部、前記第２補助装置とヘアウェアとの間に形成される第２空間部、又は前記第１補助装置と使用者の頭部との間に形成される第３空間部によって、使用者の頭形のボリュームアップと小型電子装置が外部に露出されないまま設置できる空間が確保されることを特徴とするヘアウェア。
【請求項２】
前記補助装置は，第１補助粘着部に結合する第２補助粘着部の結合位置を上下調節することにより、前記第１空間部の高さの調節ができることを特徴とする、請求項１に記載の頭形補正又は空間形成のための補助装置を備えたヘアウェア。
【請求項３】
前記補助装置は、通風のための通気孔が複数形成されることを特徴とする、請求項１又２に記載の頭形補正又は空間形成のための補助装置を備えたヘアウェア。
【請求項４】
前記ヘアウェア、第１補助装置又は第２補助装置には、小型電子装置の受容部が更に設けられたことを特徴とする、請求項１に記載の頭形補正又は空間形成のための補助装置を備えたヘアウェア。
【請求項５】
前記小型電子装置は、スマートフォン又はスマートグラスを含む装置と無線で通信可能なチップ又は回路基板を備えた装置、前記スマートフォン又はスマートグラスを通してｅメール又は文字メッセージが受信された場合、使用者に振動で知らせる振動発生装置、又は文字を音声に変換して耳で聞けるようにする骨伝導振動発生装置の全部又は一部を含むことを特徴とする、請求項１に記載の頭形補正又は空間形成のための補助装置を備えたヘアウェア。
【請求項６】
前記小型電子装置は、ＧＰＳ受信機、超音波変換器、カメラ、レーザポインター、又は頭脳に波動信号を印加する波動信号の発生装置の全部又は一部を含むことを特徴とする、請求項１に記載の頭形補正又は空間形成のための補助装置を備えたヘアウェア。
【請求項７】
前記小型電子装置は、使用者の頭部の周りで発生する脳電図、近赤外線、心電図、血圧又は体温などを含む生体信号、又は使用者周辺の温度、湿度、照度又は気圧などを含む環境信号を測定する装置の全部又は一部を含むことを特徴とする、請求項１に記載の頭形補正又は空間形成のための補助装置を備えたヘアウェア。
【請求項８】
前記第１補助装置は、ヘアウェアの内側で前記ヘアウェアの内部全体を覆えるように形成され、第２補助装置は前記ヘアウェアの内部一部を覆えるように形成されることを特徴とする、請求項１ないし３のいずれか一つに記載の頭形補正又は空間形成のための補助装置を備えたヘアウェア。
【請求項９】
前記第２補助装置は、前記第２補助粘着部がヘアウェアの内側で使用者の両耳の上部を横切る左右方向、又は使用者の額から後頭に向かう前後方向に配置されることにより、該左右方向又は前後方向に位置できることを特徴とする、請求項８に記載の頭形補正又は空間形成のための補助装置を備えたヘアウェア。
【請求項１０】
前記第１補助装置は、ヘアウェアの内側で前記ヘアウェアの内部一部を覆えるように形成され、第２補助装置はヘアウェアの内部全体を覆えるように形成されることを特徴とする、請求項１ないし３のいずれか一つに記載の頭形補正又は空間形成のための補助装置を備えたヘアウェア。
【請求項１１】
前記第１補助装置は、前記第１補助粘着部がヘアウェアの内側で使用者の両耳の上部を横切る左右方向、又は使用者の額から後頭に向かう前後方向に配置されることにより、該左右方向又は前後方向に位置できることを特徴とする、請求項１０に記載の頭形補正又は空間形成のための補助装置を備えたヘアウェア。
【請求項１２】
前記第１補助装置及び第２補助装置は、ヘアウェアの内側で前記ヘアウェアの内部全体を覆えるように形成されることを特徴とする、請求項１ないし３のいずれか一つに記載の頭形補正又は空間形成のための補助装置を備えたヘアウェア。
【請求項１３】
前記第１補助装置又は第２補助装置は、ヘアウェアの内側で前記ヘアウェアの内部一部を覆えるように形成されることを特徴とする、請求項１ないし３のいずれか一つに記載の頭形補正又は空間形成のための補助装置を備えたヘアウェア。
【請求項１４】
前記第１補助装置又は第２補助装置は、前記第１補助粘着部又は第２補助粘着部がヘアウェアの内側で使用者の両耳の上部を横切る左右方向、又は使用者の額から後頭に向かう前後方向に互いに同一位置に置かれるか、方向が互いに外れて配置されることにより、該左右方向又は前後方向に互いに同一位置に置かれるか、方向が互いに外れて位置できることを特徴とする、請求項１３に記載の頭形補正又は空間形成のための補助装置を備えたヘアウェア。
【請求項１５】
前記第１補助装置自体は、ヘアウェアの内側で前記ヘアウェアの内部全体を覆えるように、円形、＋字型、Ｘ字型、Ｔ字型、Η字型又はΠ字型で形成されることを特徴とする、請求項１に記載の頭形補正又は空間形成のための補助装置を備えたヘアウェア。
【請求項１６】
前記第２補助装置自体は、ヘアウェアの内側で前記ヘアウェアの内部全体を覆えるように、円形、＋字型、Ｘ字型、Ｔ字型、Η字型又はΠ字型で形成されることを特徴とする、請求項１に記載の頭形補正又は空間形成のための補助装置を備えたヘアウェア。
【発明の詳細な説明】
【技術分野】
【０００１】
本発明は、頭形補正又は空間形成のための補助装置を備えたヘアウェアに関するものである。より詳しくは、使用者の頭部とヘアウェアとの間に補助装置を設けることで、前記補助装置により使用者の頭形が補正されるか小型電子装置が外部に露出されないまま設置できる空間が確保され、前記補助装置又はヘアウェアに受容部を有し前記小型電子装置の受容が可能であることを特徴とする、頭形補正又は空間形成のための補助装置を備えたヘアウェアに関するものである。
【背景技術】
【０００２】
従来のカツラ製品は、主にキャップ形態の植毛部により全体のカツラ型を維持した状態で、前記植毛部に毛髪を移植し定型化された形態のものであった。しかし、前述の構成のカツラ製品は毛髪を豊かにする効果以外に、頭形補正の効果はないという限界があった。
【０００３】
後頭部の所が平たい形態の頭形を持つ使用者の場合、美容室などで頭頂部分を持ち上げることによりこれを克服しようとしているが、時間の経過に従って頭頂部分がまた沈む問題があった。
【０００４】
当該出願人により出願して登録された韓国登録特許第０８４４１３９号（登録日：２００８．０６．３０．）の場合、図１において示した通り、後面部に植毛ラインを複数形成した状態で前記植毛ラインに人工毛髪又は天然毛髪を移植することにより自然な毛髪を形成するとともに、前記植毛ラインが使用者の自毛によって上部に持ち上げられボリュームアップ効果を向上できることを特徴としている。
【０００５】
しかし、前記技術は一時的にボリュームアップ効果が維持するだけで、時間の経過に従って植毛ラインと前記植毛ラインに移植された人工毛髪又は天然毛髪の重さのためボリュームアップ効果がなくなる問題があり、また使用者の頭部の任意部分に対するボリュームアップ効果を得ようとする場合その実現が制限的であるという問題があった。
【０００６】
更に、従来には、人間の脳を測定や研究する場合、実験対象者を研究室、実験室又は医療施設などの制限された空間内で一時的に実験したため、日常生活内の自然的活動中に表れる多様な結果を得ることが難しいという面もあった。即ち、従来には、活動が制限された拘束状態で実験対象者に対する生体信号の測定が行われたため、実生活においての生体信号の測定が困難である問題があった。
【先行技術文献】
【特許文献】
【０００７】
【特許文献１】韓国特許第０８４４１３９号公報
【発明の概要】
【発明が解決しようとする課題】
【０００８】
本発明は、前記従来技術の問題点を解決するため案出されたものである。本発明によると、使用者の頭部とヘアウェアとの間に補助装置を設けることで、補助装置の間又は前記補助装置の上下に形成される空間部により使用者の頭形が補正されるし、前記空間部に小型電子装置が外部に露出されないまま設置でき、前記補助装置又はヘアウェアに受容部を設けて前記小型電子装置の受容が可能であることを特徴とする、頭形補正又は空間形成のための補助装置を備えたヘアウェアに関するものである。  
【課題を解決するための手段】
【０００９】
前記目的を達成するための本発明のヘアウェアは、使用者の頭部に対応するよう球形態に形成され、端部内側の一部又は全体にわたってヘアウェア粘着部を設けたヘアウェア、及び使用者の頭部に隣接してヘアウェア内部の一部又は全体を覆える球形態で形成され、前記ヘアウェア粘着部と結合できるように下端部の側面の第１補助粘着部を備えた第１補助装置と前記ヘアウェアの内側に隣接して、ヘアウェア内部の一部又は全体を覆える球形態で形成され前記ヘアウェア粘着部又は第１補助粘着部と結合するため下端部の側面に第２補助粘着部が設けられた第２補助装置からなる補助装置により構成され、前記ヘアウェアの内側に前記補助装置が挿入して結合した状態で、前記第１補助装置と第２補助装置との間に形成される第１空間部、前記第２補助装置とヘアウェアとの間に形成される第２空間部又は前記第１補助装置と使用者の頭部との間に形成される第３空間部によって、使用者の頭形がボリュームアップされたり、小型電子装置が外部に露出されないまま設置できる空間が確保されることを特徴とする。
【００１０】
また、本発明のヘアウェアは、前記第１補助粘着部と結合する第２補助粘着部の結合位置を上下に調節することによって、前記第１空間部の高さを調節できることを特徴とする。
【００１１】
また、本発明のヘアウェアは、使用者の頭部と対応した球形態で形成され、端部内側の一部又は全体にわたってヘアウェア粘着部が設けられたヘアウェアと使用者の頭部に隣接してヘアウェア内部の一部又は全体を覆える球形態で形成され、前記ヘアウェア粘着部と結合するため下端部の側面に第１補助粘着部が形成された第１補助装置で構成され、前記ヘアウェアの内側に前記第１補助装置が挿入して結合した状態で、前記ヘアウェアと第１補助装置との間に形成された第４空間部又は前記第１補助装置と使用者の頭部との間に形成された第３空間部によって使用者の頭形がボリュームアップされたり小型電子装置が外部に露出されないまま設置できる空間が確保されることを特徴とする。
【００１２】
また、本発明の第１補助装置又は第２補助装置は、通風のための通気孔が複数形成されることを特徴とする。
【００１３】
また、本発明の小型電子装置は、スマートフォン又はスマートグラスなどの装置と無線で通信可能なチップ又は回路基板を有する装置、前記スマートフォン又はスマートグラスによってｅメール又は文字メッセージが受信された場合、使用者に振動で知らせる振動発生装置、又は文字を音声に変換して耳で聞けるようにする骨伝導振動発生装置を含むことができ、ＧＰＳ受信機、超音波変換器、カメラ、レーザポインター、又は頭脳に波動信号を印加する波動信号発生装置を含むことと、使用者の頭部の周りで発生する脳電図、近赤外線、心電図、血圧又は体温などの生体信号、又は使用者周辺の温度、湿度、照度又は気圧などの環境信号を測定する装置が含まれることを特徴とする。
【発明の効果】
【００１４】
本発明において、使用者の頭部とヘアウェアとの間に設けられた補助装置により空間部が形成され、前記空間部によって使用者の頭形補正が容易に行われる。
【００１５】
また、本発明において、使用者の頭部とヘアウェアとの間に設けられた補助装置によって形成される空間部内部又は前記ヘアウェアと補助装置に形成される受容部に、使用者の脳波を測定したり現代人の精神疾患又は頭脳の性向を操るニューロバイオフィードバック装置などの脳工学関連の小型電子装置、又は体温、血圧などのチェックが可能なセンサー、又はスマートフォンを含む通信装置と無線で通信できる装置などを小型化して内蔵することができる。
【図面の簡単な説明】
【００１６】
【図１】図１（ａ）、（ｂ）は、本発明において補助装置のある実施例であり、ヘアウェアの内部の一部を覆える第１補助装置と第２補助装置がお互い同一方向で結合した様子と受容部が設けられた様子を示す図面である。
【図２】図２（ａ）、（ｂ）は、本発明において補助装置の他の実施例であり、ヘアウェアの内部一部を覆える第１補助装置と前記第１補助装置に受容部が設けられた様子を示す図面である。
【図３】図３（ａ）、（ｂ）は、図１の実施例による補助装置がヘアウェアの内部に形成された様子を示す図面である。
【図４】図４（ａ）、（ｂ）は、図２の実施例による第１補助装置がヘアウェアの内部に形成された様子を示す図面である。
【図５】図５（ａ）、（ｂ）は、従来のカツラに本発明の補助装置を設けた様子を示す図面である。
【発明を実施するための形態】
【００１７】
以下、添付図面を参照して本発明の好ましい実施例をより詳しく説明する。
【００１８】
本発明において、「ヘアウェア（Ｈａｉｒｗｅａｒ）」という用語は、抜け毛などを補う意味で用いられた従来のカツラの概念と異なり、基本的に頭形補正を考慮した機能を表現するためのものであり、例えば後ろ髪の上部である頭頂部分をボリュームアップして後頭部の補正が可能である機能を含み、更に、段々発展する脳工学に用いられる小型電子装置、例えば、使用者の脳波を測定して脳機能の異常有無を測定したり、精神疾患などを研究するための機能を有する装置を設置できる空間を確保する機能を含ませるためのものであり、頭形補正だけでなくチップ（ｃｈｉｐ）のような形態を含む小型電子装置が外部に露出されないまま、脳機能の測定などが日常生活の中で可能になるという概念を内包する用語として使用する。
【００１９】
また、本発明において説明する「小型電子装置」は、使用者の頭部の周りで発生する脳電図、近赤外線、心電図、血圧又は体温などを含む生体信号と使用者の周辺の温度、湿度、照度又は気圧などの環境信号を測定するため、使用者が着用するヘアウェア、補助装置、前記ヘアウェアと補助装置によって形成される空間部、又は前記ヘアウェア、補助装置又は空間部に設けた受容部に挿入される測定装置を意味するものであり、使用者の生体信号を測定するためのセンサーが使用者の頭部に付着されたり、使用者周辺の環境信号を測定するためのセンサーが、ヘアウェアによって露出されないまま設けられた状態で、前記センサーが前記電子装置と有無線で繋がって生体信号と環境信号を送受信できるものを通称する。
【００２０】
また、本発明の小型電子装置は、スマートフォン又はスマートグラスなどの装置と無線で通信可能なチップ又は回路基板を有する装置が含まれ、前記スマートフォン又はスマートグラスを通してｅメール又は文字メッセージが受信される場合、使用者に振動で知らせる振動発生装置を含むことができ、文字を音声に変換して耳で聞けるようにする骨伝導振動発生装置が含まれる。
【００２１】
また、本発明に備えられる小型電子装置として、ＧＰＳ受信機、超音波変換器、カメラ又はレーザポインターなどがあり、頭脳に波動信号を印加する波動信号発生装置を含むことができる。
【００２２】
図３と図４に示す本発明のヘアウェア１００を構成する前面部１１０のスキンカラー部１１１と植毛ライン１１４には、人工毛髪又は天然毛髪が植毛されるが、前記人工毛髪又は天然毛髪が植毛されない状態の図面を利用して説明することで、本発明の主要特徴である小型電子装置を設置するための空間確保、又はボリュームアップによる頭形補正の効果が容易に理解できるようにする。
【００２３】
本発明の前面部１１０の中のクリップ固定部１１２は、ヘアウェアが使用者の耳上部の両方の髪の毛に固定できるように、クリップを固定するためのものであり、前記クリップ固定部の内側にクリップが固定された状態で前記クリップが使用者の毛髪に結合してヘアウェアが使用者の頭形に固定され、前面部の中のスキンカラー部とクリップ固定部は連続して形成されることもできるが、生産性向上などのため連結部１３を介して相互接合されて形成することができる。後面バンド１３０は、ヘアウェアの下端に必要に応じて設け、使用者の頭部の後ろ髪にヘアウェアが支持されるようにする。
【００２４】
本発明のヘアウェア粘着部１２０は、ヘアウェアの端部内側の一部又は全体にわたって形成される。本発明において、ヘアウェアの端部はヘアウェアの周りを回って形成される縁を意味し、ヘアウェアの端部内側には一定の幅を持つ後面バンドの内側、クリップ固定部の内側、及びスキンカラー部の縁の内側になることができ、幅はヘアウェアの形態によって異なる。前記ヘアウェアの端部内側の一部又は全体にヘアウェア粘着部を形成することにより、前記ヘアウェア粘着部と後述の第１補助装置の第１補助粘着部、及び／又は第２補助装置の第２補助粘着部が粘着できるようにする。
【００２５】
図１は、本発明に適用される補助装置２００のある実施例であり、ヘアウェアの内部一部を覆える第１補助装置と第２補助装置がお互い同一方向に結合した様子を示す。図１（ａ）は、第１補助装置２１０と第２補助装置２２０がお互い結合した様子を示し、図１（ｂ）は受容部４００を更に備えた様子を示す。前記第１補助装置と第２補助装置は、使用者の頭部に隣接して形成されるため球形態で形成される。後述のヘアウェア１００も頭部と対応できるよう球形態で形成される。前記第１補助装置と第２補助装置の幅（Ａ）はヘアウェアの幅（Ｈ）より同一又は狭く形成することにより、ヘアウェアを着用した状態で前記第１補助装置と第２補助装置が外部に露出しないことが好ましい。図１は、第１補助装置と第２補助装置の幅がヘアウェアの幅より狭く形成されたものを例として示し、この場合前記第１補助装置又は第２補助装置の幅は２〜１０ｃｍの範囲で自由に形成され、ヘアウェアの内部に設けられた状態で外部に露出しない。前記第１補助装置と第２補助装置は使用者の頭形をボリュームアップさせたり空間形成ができるように一定強度を持つ状態で形像維持が可能がプラスチックなどの合成樹脂が材料として利用できる。
【００２６】
前記第１補助装置と第２補助装置が相互結合した状態でヘアウェア１００と結合して空間部５００が形成され、前記空間部が使用者の頭形を補正するとともに小型電子装置が外部に露出されないまま設置できる。即ち、脳波の測定が可能な装置、体温又は血圧などのチェックができるセンサー及び／又は通信機能を含むウェアラブル装置などが小型化して前記空間部に内蔵される。図１の受容部４００は、小型電子装置が内蔵される空間を実施例として示し、前記受容部の大きさと形態は小型電子装置の構造、大きさ又は用途などによって様々な変形が可能であり、前記小型電子装置は受容部の構成がなくても前記第１補助装置の上下部又は第２補助装置の上下部によって形成される空間内に位置することもできる。また、前記受容部は、第１補助装置の上部面又は下部面と接して形成されるか、又は第２補助装置の上部面又は下部面に接して形成され得るし、ヘアウェアの下部面又は上部面にも形成されることができる。
【００２７】
図１には、第１補助装置２１０と第２補助装置２２０との間に形成される第１空間部５１０を示し、前記第１空間部が使用者の頭部の上部に形成されながら平たい形態の頭頂部分が補正され、また前記第１空間部の内部に小型電子装置の設置が可能になる。
【００２８】
第１補助装置と第２補助装置との間の結合は様々な形で行うことができるが、本発明では第１補助装置の下端部の側面に第１補助粘着部２１１を形成し、第２補助装置の下端部の側面に第２補助粘着部２２１を形成し、前記第１補助装置２１０の第１補助粘着部２１１及び／又は第２補助装置２２０の第２補助粘着部２２１がヘアウェア粘着部１２０に結合する。粘着部の例は様々であるが、雌雄形態を持つベルクロテープを用いることができ、前記第１補助粘着部と第２補助粘着部は下端部の外側面又は内側面の両方又は一方に形成することができる。
【００２９】
第１補助装置及び／又は第２補助装置は、ヘアウェアの端部内側に形成されるヘアウェア粘着部１２０と粘着できるようにする。即ち、本発明では、第１補助装置、第２補助装置及び／又はヘアウェアの粘着部が選択的に相互結合することで、ヘアウェア内側において安定な空間を形成することができ、これによって頭形補正も同時に行われる。前記ヘアウェア粘着部もベルクロテープを利用することができ、雌雄が互いに対応して形成され、相互間の結合が容易にできる。
【００３０】
本発明において、第２補助装置に備えられた第２補助粘着部が第１補助装置の第１補助粘着部又はヘアウェア粘着部と結合する高さを調節することにより第１空間部５１０の高さの調節が可能である。即ち、第２補助粘着部を一定幅を有する第１補助粘着部又はヘアウェア粘着部の上部の方に接合する場合は第１空間部の高さが高くなり、一方第２補助粘着部を第１補助粘着部又はヘアウェア粘着部の下部の方に接合する場合は第１空間部の高さは低くなる。これによって、頭形補正の高さを調節し、ボリュームアップ高さを調節することができるようになり、搭載する小型電子装置の大きさに柔軟な対処が可能である。
【００３１】
図２は、本発明に適用される補助装置２００の他の実施例であり、ヘアウェアの内部の一部を覆える第１補助装置と前記第１補助装置に受容部を設けた様子を示している。図２（ａ）は第１補助装置２１０を示し、図２（ｂ）は前記第１補助装置に受容部４００が更に設けられた様子を示す図面であり、第２補助装置２２０がなくても第１補助装置だけでボリュームアップと空間形成が可能であることを示している。前記第１補助装置の下端部の側面に設けられた第１補助粘着部２１１がヘアウェアの端部内側に形成されたヘアウェア粘着部１２０と結合し、空間部が形成される。
【００３２】
図３は、図１の実施例による補助装置がヘアウェアの内部に形成された様子を示す図面であり、図３（ａ）はヘアウェアの内部に第１補助装置と第２補助装置が挿入結合した様子を示し、図３（ｂ）は図３（ａ）のａ−ａ’線による断面をＡ方向から見た様子を示す。前記図３（ｂ）は補助装置、ヘアウェア及び使用者の頭部により形成される空間部を示し、説明の便宜のため他の構成は省略して図示し、第１補助装置の下に図示した点線は使用者の頭部を示す。前記図３（ａ）及び図３（ｂ）を参照すれば、前記第１補助装置と第２補助装置との間に形成される第１空間部５１０とともに、前記第２補助装置とヘアウェアとの間に第２空間部５２０が形成される、更に前記第１補助装置と使用者の頭部との間に第３空間部５３０が形成される。
【００３３】
即ち、第１補助粘着部及び／又は第２補助粘着部が結合されるヘアウェア粘着部１２０の粘着位置を調節したり、前記第２補助粘着部が結合される第１補助粘着部の粘着位置を調節したりすることで、第２空間部の高さの調節ができ、また第２空間部が形成されることも可能である。ヘアウェア１００と第１補助装置及び第２補助装置の結合を通してなされる構造により様々な位置で空間部が形成され、これによって使用者の頭部のボリュームアップが容易にでき、更に小型電子装置を多様な空間に設置することができる。即ち、第１補助装置の上下部又は第２補助装置の上下部の空間に受容部４００の形成が可能であり、前記受容部はヘアウェアの直下部又は直上部にも接して形成できる。
【００３４】
図４は、図２の実施例による第１補助装置がヘアウェアの内部に形成された様子を示す図面である。図４（ａ）は、ヘアウェアの内部に第１補助装置が挿入結合した様子、図４（ｂ）は図４（ａ）のｂ−ｂ’線による断面をＢ方向から見た様子を示す。前記図４（ｂ）は補助装置、ヘアウェア及び使用者の頭部により形成される空間部を示し、図３（ｂ）と同様説明の便宜のため他の構成は省略した状態で図示し、第１補助装置の下の点線は使用者の頭部である。前記図４（ａ）と図４（ｂ）を参照すれば、第１補助装置の第１補助粘着部２１１がヘアウェアの端部内側に形成されたヘアウェア粘着部１２０と結合したことを示している。前記図４を参照すれば、前記第１補助装置２１０とヘアウェア１００との間に第４空間部５４０が形成され、更に前記第１補助装置と使用者の頭部との間に第３空間部５３０が形成される。図４に実施例においても、第１補助装置の第１補助粘着部２１１が結合するヘアウェア粘着部１２０での粘着位置を調節することにより、第３空間部又は第４空間部の高さを調節することができ、これによって使用者の頭部のボリュームアップ容易にでき、更に小型電子装置が前記第３空間部又は第４空間部に設けられることもできるし、ヘアウェアの外部面と内部面に接して設けられることもできる。前記小型電子装置がヘアウェアの上部に接して形成されても毛髪により外部に露出しない。
【００３５】
図５は、本発明のヘアウェアと異なり、従来カツラに本発明の補助装置を備えた様子を示す図面であり、図５（ａ）はカツラ内部の一部を覆える第１補助装置及び第２補助装置が従来のカツラ内側に結合された様子を示し、図５（ｂ）はカツラ内部の一部を覆える第１補助装置が従来のカツラ内側に結合された様子を示す。本発明の補助装置は従来のカツラにも適用でき、従来のカツラの端部内側の一部又は全体にカツラ粘着部（未図示）を設けて、前記カツラ粘着部に本発明の第１補助粘着部及び／又は第２補助粘着部を粘着して結合する場合、使用者の頭部と第１補助装置との間に、第１補助装置と第２補助装置との間、第２補助装置と従来カツラとの間に空間部が形成されボリュームアップによる頭形補正が可能であり、更に前記空間部に小型電子装置の搭載が可能である。カツラの上部又は下部にも接して小型電子装置が搭載されることもできる。
【００３６】
前述した例によって、ヘアウェア又は従来カツラの内部の一部を覆える補助装置が使用者両耳の上部を横切る状態でヘアウェア又は従来カツラと結合した形態で用いられたが、前記補助装置は使用者の額から後頭方向にヘアウェア又は従来カツラと結合することができ、これによっても使用者の頭頂部分のボリュームアップによる補正が可能であり、また空間確保も可能である。
【００３７】
また、図面には図示しなかったが、本発明の第１補助装置２１０はヘアウェアの内側でヘアウェアの内部全体を覆えるように形成することができ、第２補助装置２２０はヘアウェアの内部の一部を覆えるように形成することができる。一方、第１補助装置はヘアウェアの内側でヘアウェアの内部の一部を覆えるように形成され、第２補助装置がヘアウェアの内部全体を覆えるように形成されることもできる。
【００３８】
第１補助装置がヘアウェアの内側でヘアウェアの内部全体を覆えるように形成され、第２補助装置はヘアウェアの内部の一部を覆えるように形成される実施例の場合、前記第２補助装置はヘアウェアの内側で使用者の両耳上部の左右方向、額と後頭の前後方向又は任意の方向に位置することができる。反面、第１補助装置はヘアウェア内側でヘアウェアの内部の一部を覆えるように形成される一方、第２補助装置がヘアウェアの内部全体を覆えるように形成される実施例の場合、前記第１補助装置がヘアウェアの内側で使用者の両耳上部の左右方向、額と後頭の前後方向又は任意の方向に位置することができる。
【００３９】
第１補助装置及び／又は第２補助装置がヘアウェアの内部全体を覆えるように形成される場合、第１補助粘着部２１１及び／又は第２補助粘着部２２１はヘアウェアの端部内側の全体にわたって形成されることも、一部において形成されることもできる。
【００４０】
第１補助装置又は第２補助装置がヘアウェアの内部全体を覆えるように形成される場合、前記第１補助装置又は第２補助装置は円形、＋字型、Ｘ字型、Ｔ字型、Η字型又はΠ字型などの多様な形で形成され得る。＋字型を例としたら、第１補助装置がヘアウェアの内部全体を覆えるようにして、帯形態で設けられることにより空間を形成する。この際にも、使用者の頭部を支持した状態が空間確保が行われ、帯形態の上部面又は下部面に小型電子装置の搭載が可能になる。
【００４１】
図１ないし図５を通して説明した通り、本発明の第１補助装置又は第２補助装置がヘアウェア内部の一部を覆うようにする場合、その幅は自由であるが、好ましくは２〜１０ｃｍの範囲であり、使用者がヘアウェアを着用した状態で外部に露出しないようにする。第１補助装置と第２補助装置が全てヘアウェアの内部一部を覆えるように形成される場合、ヘアウェア内側の後面バンド及び／又は前面部のスキンカラー部内側に形成されるヘアウェア粘着部によって前記第１補助装置と第２補助装置はヘアウェア内側で使用者の両耳上部の左右方向、額と後頭の前後方向又は任意の方向に互いに同一位置に置かれることもできるし、又は方向が互いに外れる位置に置かれることも可能である。
【００４２】
ヘアウェアの内側に第２補助装置が省略されて第１補助装置だけを設けた状態で、前記第１補助装置がヘアウェアの内部全体を覆うこともできるし、前記第１補助装置がヘアウェアの一部を覆うようにする場合、前記第１補助装置は使用者の両耳上部の左右方向、額と後頭の前後方向又は任意の方向に位置することができる。
【００４３】
図１と２を参照すれば、本発明の補助装置には複数の通気孔３００が形成されている。前記通気孔を通して外部空気が使用者の頭部につながり、頭部から出る熱や汗などの排出が円滑に行われる。
【００４４】
図面には図示しなかったが、本発明において、補助装置を省略した状態で、ヘアウェア又は従来カツラの外部面又は内部面に接して小型電子装置を結合することができる。また、前記ヘアウェア又は従来カツラの外部面又は内部面に接して受容部を設けた後、前記受容部に小型電子装置を設けることができる。このとき、ヘアウェア又は従来カツラは小型電子装置による脳工学関連の測定道具として用いることができる。また、二つ又は一つの補助装置を例にあげて説明したが、必要に応じて前記補助装置は３つ以上も可能であり、結合方法は二つが結合された形態利用して互いに結合させることもできる。
【００４５】
本発明において、使用者の頭部とヘアウェアとの間に設けられた補助装置によって空間部が形成され、前記空間部で使用者の頭形補正が容易に行われ、使用者の頭部とヘアウェアとの間に設けられる補助装置によって形成される空間部の内部又は前記ヘアウェアと補助装置に形成される受容部に使用者の脳波測定や現代人の精神疾患又は頭脳の性向を操るニューロバイオフィードバック装置などの脳工学関連の小型電子装置又は体温・血圧などのチェックが可能であるセンサー及び／又は通信機器などが小型化されて、前記空間部に内蔵され得るという利点がある。
【００４６】
以上において、本発明の好ましい実施例を説明したが、本発明の権利範囲はこれらに限らず、本発明の実施例と実質的な均等範囲のものまで本発明の権利範囲が及ぶことと理解すべきであり、本発明の思想を超えない範囲において当該発明に属する技術分野で通常の知識を有する者により多様な変形実施が可能である。  
【符号の説明】
【００４７】
１００：ヘアウェア
１１０：前面部
１１１：スキンカラー部
１１２：クリップ固定部
１１３：連結部
１１４：植毛ライン
１２０：ヘアウェア粘着部
１３０：後面バンド
２００：補助装置
２１０：第１補助装置
２１１：第１補助粘着部
２２０：第２補助装置
２２１：第２補助粘着部
３００：通気孔
４００：受容部
５００：空間部
５１０：第１空間部
５２０：第２空間部
５３０：第３空間部
５４０：第４空間部
６００：カツラ
【図１】
0006621756.tif 000002
【図２】
0006621756.tif 000003
【図３】
0006621756.tif 000004
【図４】
0006621756.tif 000005
【図５】
0006621756.tif 000006